(57)【要約】【課題】道路に近接して設置された防音壁の壁面を、自動車走行の障害とならずに緑化できるようにして運転者や同乗者に安らぎを与える。【解決手段】表面に吸音用の穴が多数設けてあり、内部に吸音材が充填されたパネル１の表面の中央部に開口２を形成し、この開口２の裏側にステンレス、合成樹脂、アルミニウムなど適宜の材料の容器３が取り付けてある。容器３内に人工土壌と肥料を充填し、つる性植物の種子を蒔き、発芽した状態で道路に設置して防音壁１とする。防音壁の設置されている場所が、植物の生育に適している場合には、植物の生育を待たず、種子を蒔いて直ぐに道路に設置する。【選択図】図１
2009250010.tif 000002
【特許請求の範囲】
【請求項１】
防音壁の入射面側に開口を設け、この開口の裏面側に土壌及び肥料を収容する容器を設置した緑化防音壁。
【請求項２】
請求項１において、防音壁面の上下方向に間隔をおいて複数の開口が設けてある緑化防音壁。
【請求項３】
請求項１または請求項２において、防音壁の表面に自然石を貼り付けてある緑化防音壁。
【請求項４】
請求項１または請求項２において、防音壁の表面に保水繊維、やし繊維を貼り付け、若しくは保持してある緑化防音壁。
【請求項５】
請求項１〜４のいずれかにおいて、防音壁の頂部に雨水受けを設け、この雨水受けから容器に通ずる管路を設けた緑化防音壁。
【請求項６】
請求項１〜５のいずれかにおいて、容器につる性植物を植栽してある防音壁。
【請求項７】
請求項６において、つる性植物が自力登坂型と下垂性の植物を単独もしくは組み合わせたものである防音壁。
【請求項８】
請求項７において、自力登坂型がアマツタ、イタビカズラ、オオタビ、木ツタのいずれかであり、下垂性のものがミヤギノハギ、ビンカマジョール、ビンカミノールのいずれかである防音壁。
【発明の詳細な説明】
【技術分野】
【０００１】
本発明は、自動車の走行に起因する騒音を遮断すると共に、無機質な人工物の防音壁の壁面を植物で覆い、運転者等に安らぎを与える緑化防音壁に関する。
【背景技術】
【０００２】
自動車の走行によって発せられる騒音は、主としてタイヤと路面との摩擦に起因し、これにエンジン音が加わる。従来、自動車騒音を遮断するための防音壁は、道路において発生する騒音を道路外に極力出さないようするという、道路利用する運転者のためではなく、道路周辺の居住者への騒音の伝播を阻止するという観点で設置されていた。
例えば特許文献１に開示されているように、一定間隔の支柱の間に防音パネルを支持するもので、防音パネルは、閉鎖された空洞内部に吸音材が充填され、前面板に吸音孔が形成されたものであり、この防音壁を隠蔽するため植樹帯等が道路の外側に設けてある。
【０００３】
【特許文献１】特開平１０−２６６１４１号公報
【発明の開示】
【発明が解決しようとする課題】
【０００４】
自動車の運転者にとって防音壁は、道路の両側にそびえて景観を阻害すると共に視線を遮るので圧迫感を与えるものであり、本来ないほうが景観を楽しみながら運転できるものである。従って、防音壁は、元来運転者のためではなく、周辺住民に騒音が伝播しないようにするためのものであった。防音壁の緑化という面においても同様で、道路に沿って構築された人工物の防音壁を周辺住民の目に触れないようにするという観点から、緑化するのは道路の外側であり、防音壁の外側に沿って植栽を設けて防音壁自体が見えないようにするということがおこなわれていた。
【０００５】
無機質な人工物である防音壁は、視線を遮ると共に運転者に覆いかぶさるように見えるため圧迫感を与えるので、これを緑化することによって運転者に安らぎを与えようとしても、高速道路、特に都市高速道路においては、車線と道路の側端に設けられた防音壁の間には植物を植える余裕がなく、緑化が不可能であった。また、防音壁の壁面に植物を植えるポットを設置して緑化すると、ポットが防音壁から突出しているため走行車輌がポットに近接するので、かえって危険を招来することになるので、壁面にポットを取り付けることはできなかった。
本発明は、自動車走行の障害とならずに防音壁の壁面を緑化できるようにして運転者や同乗者に安らぎを与えることができるようにするものである。
【課題を解決するための手段】
【０００６】
防音壁の壁面に開口を設け、この開口の裏面側に土壌及び肥料を収容する容器を設置し、植物を植えることによって防音壁の緑化をするものである。
防音壁は、表面に吸音のために多数の穴をもうけたものや、多数の長穴を並列させ、更にフィンを設けたものなど種類を選ばない。
また、容器内に植栽する植物は、つる性植物が好ましいが、つる性植物だけに限定されるものでない。
つる性植物としては、自力登坂型としてアマツタ、イタビカズラ、オオタビ、木ツタなどが挙げられる。下垂性のものとしては、ミヤギノハギ、ビンカマジョール、ビンカミノールが挙げられる。これらの植物を単独、若しくは組み合わせて使用する。
【発明の効果】
【０００７】
本発明によれば、防音壁の表面に開口を設け、その裏面側に植物を植える容器を設け、蔓性植物を植栽し、植物を壁面を伝って生育させて壁面全体を緑化するものである。壁面から突出するものがないので、運転者に圧迫感を与えることなく、無機質な人工物の防音壁の表面を植物で覆い、運転者及び同乗者に安らぎを与えることができる。
走行路に設置した防音壁のみでなく、パーキングエリアの境界の防音壁面にも適用することができ、運転者が休息する際の安らぎの場を提供することになる。
【発明を実施するための最良の形態】
【０００８】
以下、本発明を実施例の図面に基づいて説明する。
図１は、本発明の緑化防音壁用のパネル１０の正面図であり、表面に吸音用の穴が多数設けてあり、内部に吸音材が充填されたものである。この防音パネル１０の中央部に開口２を形成し、この開口２の裏側に土砂等を収容する容器３を取り付ける。容器３は、ステンレス、合成樹脂、アルミニウムなど適宜の材料が使用可能であり、排水用の穴を底部に設けておく。図２は本発明の一実施例の写真である。
【０００９】
この容器３に人工土壌と肥料を充填し、つる性植物の種子を蒔き、発芽させて表面の開口２から出て壁面にからみついたところで、道路に防音壁パネルを設置して図３に示すように防音壁とする。防音壁の設置されている場所が、植物の生育に適している場合には、植物の生育を待たず、種子を蒔いて直ぐに道路に設置してもよい。
植物への水の供給は、散水車等によって適宜の間隔で開口２から容器３に内に散水する。
【００１０】
図４に示すように、防音壁の頂部に適宜の形状の雨水受け４を設置し、ここからパイプまたはホースで雨水受け４と容器３を結ぶ管路５を形成し、雨水受け４に溜まった水を徐々に容器内に供給されるようにする。
【００１１】
図５に示す例は、防音壁１の壁面に溶岩、軽石などの自然石１１を貼り付けたり、ヤシ繊維などの保水性繊維のマット（図示しない）を壁面に貼り付けるか、若しくは固定したものである。
自然石１１は、表面に微細な凹凸を有しており、つる性植物が自然石の表面に貼り付き易いので登はんを容易にする。溶岩及び軽石は小孔が多数表面に形成されているので保水性が高く、防音壁１の頂部の雨水受け４からの水を壁面に供給することによって壁面が湿潤状態に維持され、周囲の大気を冷却する効果が期待でき、都市部においては、ヒートアイランド対策に貢献する。
【図面の簡単な説明】
【００１２】
【図１】本発明の緑化防音壁に用いるパネルの正面図と側面図。
【図２】パネルの斜視図。
【図３】防音壁の斜視図。
【図４】防音壁の頂部に雨水受けを設けた実施例の側面図。
【図５】壁面に自然石を貼り付けた防音壁の実施例の斜視図。
【符号の説明】
【００１３】
１  防音壁
１０  防音壁用パネル
１１  自然石
２  開口
３  容器
４  雨水受け
５  管路
【図１】
2009250010.tif 000003
【図３】
2009250010.tif 000004
【図４】
2009250010.tif 000005
【図５】
2009250010.tif 000006
【図２】
2009250010.tif 000007